(57)【特許請求の範囲】
【請求項１】
複数階のスラブ床面を構成するコンクリートスラブを貫通して配設された排水立て管の
更正方法であって、
更正する当階とその上階の間の排水立て管を、排水集合管継手とその上下に接続された
直管の一部がスラブ貫通部として残存されるように、当階のスラブ床面から所定の位置及
び上階のスラブ天井面から所定の位置で切断して、その間の連結部を除去する切断工程と
、
当階のスラブ床面及び／又は上階のスラブ天井面に残存する排水立て管のスラブ貫通部
の内面を研磨洗浄し、枝管の接続口に対向する内面であって、当該枝管から流入した排水
が衝突する位置より上方に、上階から排出され、排水立て管内面を流下する排水を左右に
分岐して流下させる分流ガイドを取り付けた後、スラブ貫通部の内面にエポキシ樹脂皮膜
を前記分流ガイドが被覆される状態に形成する貫通部更正工程と、
切断工程で除去した部分に、新たな管を継ぎ足す連結部更正工程と、からなることを特
徴とする排水立て管の更正方法。
【請求項２】
前記切断工程、貫通部更正工程及び連結部更正工程を、任意の階から順次又は並行して
繰り返す、ことを特徴とする請求項１に記載の排水立て管の更正方法。
【発明の詳細な説明】
【技術分野】
【０００１】
本発明は、集合住宅やビルなどの多層建物に配設された排水立て管の更正方法に関する
ものである。
【背景技術】
【０００２】
集合住宅やビルなどの多層建物には、各階から排出される排水を下水道等に流すために
排水立て管が配設されている。かかる排水立て管は長期間の使用により劣化し、腐蝕、減
肉、ひび、亀裂等を生じる。従って、竣工後、適当な時点で、排水立て管の保守が必要と
なるがる。しかし、排水立て管は、通常、各階のスラブ床面を構成するコンクリートスラ
ブを貫通して設けられ、貫通部はモルタルなどで固められている。そのため、モルタル部
分を破砕しないかぎり、既設の排水立て管をすべて新しい配管に交換することはできない
。そこで、既設の配管の老化を防止し、排水立て管の使用期間を延ばすために、研磨洗浄
後、配管内面をエポキシ樹脂などでライニングする方法が提案されている（例えば、特許
文献１〜３）。
【０００３】
特許文献１の「排水縦管の更正方法」は、液状のエポキシ樹脂を配管の内面に噴霧塗布
する方法であり、図５に示すように、排水縦管５１を下部及び上部の２箇所において切断
する工程、切断後に管内壁面の付着物を除去するクリーニング工程、乾燥工程、加熱され
且つ移動速度の調節を自在にして管内に挿入したホース５４を所要の一定速度で移動させ
、先端の塗料噴出ノズル５５から速乾性の二液性エポキシ樹脂塗料を噴出させて塗膜を形
成する工程からなる。
【０００４】
特許文献２の「管路補修方法」は、不透水性筒状シートを配管の内面に貼着する方法で
あり、図６（Ａ）（Ｂ）に示すように、排水管６１の端部に上方に開口する屈曲管６５を
臨ませて配置し、筒状に形成された不透水性の内側表層部を有する第２のライナー部材６
２を、前記屈曲管６５を通じて前記排水管６１内に供給し、前記第２のライナー部材６２
の先端部を反転状態として前記排水管６１内に挿入し、この反転状態とされた反転部分の
前記内側表層部の間に水等の液体の液圧を作用させて第２のライナー部材６２の反転部分
を排水管６１の奥に進行させるものである。
【０００５】
特許文献３の「管のライニング方法」は、不透水性筒状シートをエポキシ樹脂含浸布シ
ートとしたものであり、図７（Ａ）（Ｂ）に示すように、弾性体チューブ７２を複数枚重
ね合わせて筒状に形成し、該弾性体チューブの外周面に織布又は不織布による樹脂吸収材
を被覆してライニング材７１を形成し、このライニング材の樹脂吸収材に硬化性樹脂を含
浸させながら管路７３内に引き込み、圧力流体を注入して弾性体チューブ７２を膨張させ
、硬化性樹脂の硬化後、弾性体チューブを引き抜くものである。
【０００６】
上述した特許文献１の方法は、エポキシ樹脂を配管内面に直接噴霧して塗布するため、
様々な工夫がなされているものの、配管内面に均一の厚さで樹脂層を形成しにくく、特に
管長が長い場合は樹脂層の形成状況を十分に確認できないために信頼性に欠けるという問
題がある。
【０００７】
また、特許文献２，３の方法は、筒状シートを配管の内面に貼着するため、噴霧塗布方
法と異なり、皮膜を形成するシートの厚さが一定であるために配管内面に均一の厚さで樹
脂層を形成することができ、その面で優れているが、排水立て管に接続されている横引き
の枝管など複雑に配設された配管の更正では手間がかかりすぎる問題があった。
【０００８】
そこで、本発明者らは、複数階の各スラブを貫通して配設された排水立て管の管長が長
い場合でも、また排水立て管に横引き枝管が接続されている場合でも、手間がかからず短
時間に容易に、枝管を含む全配管の内面に均一の厚さで樹脂層を形成することができる排
水立て管の更正方法を開発し、特願２００４−２３６９０９として提案している。
【０００９】
この方法は、複数階のスラブ床面を構成するコンクリートスラブを貫通して配設された
排水立て管の更正方法であって、
更正する当階とその上階の間の排水立て管を、当階のスラブ床面から所定の位置及び上
階のスラブ天井面から所定の位置で切断して、その間の連結部を除去する切断工程と、
当階のスラブ床面及び／又は上階のスラブ天井面に残存する排水立て管のスラブ貫通部
の内面を研磨洗浄後、その内面にエポキシ樹脂皮膜を形成する貫通部更正工程と、
切断工程で除去した部分に、新たな管を継ぎ足す連結部更正工程と、からなることを特
徴としている。
【００１０】
この更正方法によれば、切断工程で残存させた一部の排水立て管（スラブ貫通部）の内
面を、貫通部更正工程において研磨洗浄し、その内面にエポキシ樹脂皮膜を形成するので
、排水立て管全体を更正する従来の工法と比較して短時間で作業を終了できる。また、残
存させる排水立て管（スラブ貫通部）の管長は短いので、エポキシ樹の皮膜形成状況の確
認検査が容易である。
【００１１】
また、切断工程、貫通部更正工程及び連結部更正工程の３工程を、任意の階から順次又
は並行して繰り返すことにより、都合のよい部屋から順次又は並行して更正作業をできる
ことになる。
【００１２】
ところで、横引き枝管を接続する排水立て管のスラブ貫通部に用いられる排水集合管継
手においては、枝管から、例えば汚物を含んだ大便器排水が大量かつ一気に流入すると、
枝管の接続口と対向する内壁面に衝突して管内をしてしまう場合があり、この閉塞状態の
まま流下すると管内に圧力変動が発生し、この圧力変動が大きい場合には、排水トラップ
の破封等のトラブルの原因となることが知られている。
【００１３】
このようなトラブルの回避策としては、特許文献４によって提案されている通り、枝管
の接続口に対向する内面に排水を左右に分岐して流下させる分流ガイドを設けることが非
常に有効である。
【００１４】
【特許文献１】特開平５−３１４５６号公報、「排水縦管の更正方法」
【特許文献２】特開平６−１０６６２２号公報、「管路補修方法」
【特許文献３】特開２００２−１６０２９５号公報、「管のライニング方法」
【特許文献４】特開平１０−３３２０６６号公報
【発明の開示】
【発明が解決しようとする課題】
【００１５】
本発明は、上記の点に留意してなされたものであって、その目的とするところは、複数
階の各スラブを貫通して配設された排水立て管の管長が長い場合でも、容易かつ短時間に
枝管を含む全配管の内面に均一の厚さで樹脂層を形成することができ、さらに、大便器排
水等が一気に流入しても管内の圧力変動を生ぜず若しくは緩和し、これによりトラップ破
封等のトラブルを防止できるようにした排水立て管の更正方法を提案することにある。
【課題を解決するための手段】
【００１６】
上記の目的を達成するために、本発明が講じた技術的手段は、次の通りである。即ち、
請求項１に記載の発明では、複数階のスラブ床面を構成するコンクリートスラブを貫通し
て配設された排水立て管の更正方法であって、
更正する当階とその上階の間の排水立て管を、排水集合管継手とその上下に接続された
直管の一部がスラブ貫通部として残存されるように、当階のスラブ床面から所定の位置及
び上階のスラブ天井面から所定の位置で切断して、その間の連結部を除去する切断工程と
、
当階のスラブ床面及び／又は上階のスラブ天井面に残存する排水立て管のスラブ貫通部
の内面を研磨洗浄し、枝管の接続口に対向する内面であって、当該枝管から流入した排水
が衝突する位置より上方に、上階から排出され、排水立て管内面を流下する排水を左右に
分岐して流下させる分流ガイドを取り付けた後、スラブ貫通部の内面にエポキシ樹脂皮膜
を前記分流ガイドが被覆される状態に形成する貫通部更正工程と、
切断工程で除去した部分に、新たな管を継ぎ足す連結部更正工程と、からなることを特
徴とする排水立て管の更正方法が提供される。
【００１７】
請求項２に記載の発明は、前記切断工程、貫通部更正工程及び連結部更正工程を、任意
の階から順次又は並行して繰り返すことを特徴としている。
【発明の効果】
【００１８】
請求項１に記載の発明の構成によれば、切断工程で残存させた一部の排水立て管（スラ
ブ貫通部）の内面を、貫通部更正工程において研磨洗浄し、枝管の接続口に対向する内面
であって、当該枝管から流入した排水が衝突する位置より上方に、上階から排出され、排
水立て管内面を流下する排水を左右に分岐して流下させる分流ガイドを取り付けた後、ス
ラブ貫通部の内面にエポキシ樹脂皮膜を前記分流ガイドが被覆される状態に形成するので
、排水立て管全体を更正する従来の工法と比較して短時間で作業を終了できるばかりでな
く、残存させる排水立て管（スラブ貫通部）の管長は短いので、分流ガイドの取付け作業
や分流ガイドの取付け状況の確認検査、エポキシ樹の皮膜形成状況の確認検査が容易であ
る。
【００１９】
また、分流ガイドの取付け後、分流ガイドが被覆される状態にエポキシ樹脂皮膜を形成
するので、分流ガイドの位置がエポキシ樹脂皮膜によって拘束されることになり、分流ガ
イドの取付け状態をエポキシ樹脂皮膜によって補強することができる。
【００２０】
従って、複数階の各スラブを貫通して配設された排水立て管の管長が長い場合であって
も、容易かつ短時間に枝管を含む全配管の内面に均一の厚さで樹脂層を形成することが可
能であると共に、分流ガイドが装備されていない排水立て管に対する排水立て管更正時に
おける分流ガイドの取付けによって、大便器排水等が一気に流入しても管内の圧力変動を
生ぜず若しくは緩和することになり、これによってトラップ破封等のトラブルを防止でき
る等の効果がある。即ち、枝管の接続口に対向する内面であって、且つ、当該枝管から流
入した排水が衝突する位置より上方に、上階から排出され、排水立て管内面を流下する排
水を左右に分岐して流下させる分流ガイドを設けるので、上方から流下する排水と枝管か
ら排出される排水との合流衝が防止されることになり、枝管からの排水を速やかに排出で
き、排水性能を向上できる。
【発明を実施するための最良の形態】
【００２１】
以下、本発明の好ましい実施形態を図面に基づいて説明する。尚、各図において共通す
る部分には同一の符号を付し、重複した説明を省略する。
【００２２】
図１は、本発明の排水立て管の更正方法を示す模式図である。本発明は、複数階のスラ
ブ床面１ａ、２ａを構成するコンクリートスラブ１、２を貫通して配設された排水立て管
１０の更正方法である。本発明の排水立て管の更正方法は、この図に示すように、切断工
程（Ａ）、貫通部更正工程（Ｂ）及び連結部更正工程（Ｃ）からなる。
【００２３】
切断工程（Ａ）では、更正する当階とその上階の間の排水立て管１０を、当階のスラブ
床面１ａから所定の位置及び上階のスラブ天井面２ｂから所定寸法Ｈ１、スラブ天井面２
ｂから所定寸法Ｈ２を残して、既設の排水立て管の直管部分１３ａを切除する。この際、
最終的に新規の直管１３ｂを接続する際に、装着しやすくするために若干直管部を残すよ
うにする。従って、所定寸法Ｈ１、Ｈ２は、２５ｃｍから５０ｃｍ程度の寸法にするのが
よい。
【００２４】
貫通部更正工程（Ｂ）では、当階のスラブ床面１ａに残存する排水立て管のスラブ貫通
部（排水集合管継手とその上下に接続された直管の一部）１１の内面を研磨洗浄して、図
２の（Ａ）（Ｂ）に示すように、管内面の錆やその他のスライム１４を落とした後、図３
の（Ａ）に示すように、枝管１５の接続口１５ａに対向する内面であって、当該枝管１５
から流入した排水が衝突する位置より上方に、上階から排出され、排水立て管内面を流下
する排水を左右に分岐して流下させる分流ガイド１６ａを取り付ける。しかる後、図３の
（Ｂ）に示すように、スラブ貫通部１１の内面にエポキシ樹脂皮膜１７を前記分流ガイド
１６ａが被覆される状態に形成する。
【００２５】
このように、枝管１５の接続口１５ａに対向する内面であって、且つ、当該枝管１５か
ら流入した排水が衝突する位置より上方に、上階から排出され、排水立て管１０内面を流
下する排水を左右に分岐して流下させる分流ガイド１６ａを設けるので、上方から流下す
る排水と枝管１５から排出される排水との合流衝が防止されることになり、枝管１５から
の排水を速やかに排出でき、排水性能を向上できるのである。
【００２６】
この場合、所定階の下階も更正工事を行うので、下階の排水立て管が切除されていない
状態においても、略所定寸法Ｈ２に相当する部分まで研磨洗浄、分流ガイド１６ａの取付
け及びエポキシ樹脂皮膜１７の形成を行えばよい。必要により、当階と上階のスラブ貫通
部１１、１２の両方を並行して研磨洗浄し、分流ガイド１６ａの取付け及びエポキシ樹脂
皮膜１７の形成を行ってもよい。スラブ貫通部１２の内面を研磨洗浄し、分流ガイド１６
ａを取り付け、エポキシ樹脂皮膜１７を形成する際には、スラブ貫通部１１の処理と同様
に、スラブ床面２ａから所定寸法Ｈ１を残して上部の排水立て管の直管部分を切除するこ
とになる。分流ガイド１６ａは、略三角錐形状であり、一つの稜線が上下方向を向くよう
に配置して取り付けられ、分流ガイド１６ａの背面（排水立て管内面への取付け面）は排
水立て管内面に合わせて湾曲している。
【００２７】
尚、図示の例では、接続口１５ａの真上（枝管１５から排水が流れ込む位置の上方）に
も、別の分流ガイド１６ｂを取り付け、排水立て管を流下する排水を接続口１５ａの上方
で左右に分岐させ、枝管１５からの排水の流入が、排水立て管を流下する排水によって阻
害されることなくスムーズに行われるように工夫してある。即ち、この分流ガイド１６ｂ
により排水立て管から流下する排水と枝管１５から流入する排水の合流衝突が回避され、
これにより管内圧力が抑制されるように構成してある。この分流ガイド１６ｂも、前記分
流ガイド１６ａと同様に、内面の研磨洗浄後、取り付けられ、しかる後、エポキシ樹脂皮
膜１７を形成するので、エポキシ樹脂皮膜１７で被覆され、保護されることになる。
【００２８】
連結部更正工程（Ｃ）では、切断工程で除去した部分に、新たな管１３ｂを継ぎ足す。
即ち、スラブ貫通部１１（及び／又は１２）に、エポキシ樹脂皮膜１７の形成後、新規直
管１３ｂを接続し、本発明の工程が完了する。
【００２９】
尚、この際、既設の排水立て管から切り出した直管を並行して更正し、これを新規直管
の代わりに再使用してもよいが、その分、手間と時間がかかるので、新規の直管を接続す
る方が好ましい。直管の接続手段としては、例えばノーハブ継手１８等を用いた突合せ接
合が採用される。
【００３０】
上述した切断工程（Ａ）、貫通部更正工程（Ｂ）及び連結部更正工程（Ｃ）は任意の階
から順次又は並行して繰り返すことが好ましい。
【００３１】
以上の更正方法によれば、例えば上下階の２住戸について半日程度で施工でき、集合住
宅の居住者が暮らしながら排水立て管の更正が可能になる。また、上階からとか下階から
といった制約がなく、所定階のみを一工程として施工できるので、集合住宅の居住者の都
合に合わせて順次実施できる。
【００３２】
また、残存させる排水立て管（スラブ貫通部１１、１２）の管長は短いので、分流ガイ
ド１６ａ，１６ｂの取付け作業や分流ガイド１６ａ，１６ｂの取付け状況の確認検査、エ
ポキシ樹脂の皮膜形成状況の確認検査が容易である。
【００３３】
しかも、分流ガイド１６ａ，１６ｂの取付け後、分流ガイド１６ａ，１６ｂが被覆され
る状態にエポキシ樹脂皮膜１７を形成するので、分流ガイド１６ａ，１６ｂの位置がエポ
キシ樹脂皮膜１７によって拘束されることになり、分流ガイド１６ａ，１６ｂの取付け状
態をエポキシ樹脂皮膜１７によって補強することができる。
【００３４】
従って、複数階の各スラブを貫通して配設された排水立て管の管長が長い場合であって
も、容易かつ短時間に枝管を含む全配管の内面に均一の厚さで樹脂層を形成することが可
能であると共に、分流ガイドが装備されていない排水立て管に対する排水立て管更正時に
おける分流ガイド１６ａ，１６ｂの取付けによって、大便器排水等が一気に流入しても管
内の圧力変動を生ぜず若しくは緩和することになり、これによってトラップ破封等のトラ
ブルを防止できるのである。
【００３５】
貫通部更正工程（Ｂ）におけるエポキシ樹脂皮膜１７の形成は、エポキシ樹脂の噴霧塗
布によって行ってもよく、その他の方法（例えば、特願２００４−２３６９０９で提案し
た液状のエポキシ樹脂を含浸させた筒状の布製シートを用いてエポキシ樹脂皮膜を形成す
る方法）で行ってもよい。何れの場合も、貫通部更正工程（Ｂ）におけるエポキシ樹脂皮
膜１７の形成は、直管の切除後に行われるので、ポキシ樹脂の皮膜形成状況の確認検査が
容易であり、エポキシ樹脂皮膜１７を容易かつ確実に形成できる。
【図面の簡単な説明】
【００３６】
【図１】本発明の排水立て管の更正方法を示す模式図である。
【図２】本発明の貫通部更正工程を示す縦断側面図である。
【図３】図２に続く貫通部更正工程を示す縦断側面図である。
【図４】本発明の連結部更正工程を示す縦断側面図である。
【図５】特許文献１の「排水縦管の更正方法」の説明図である。
【図６】特許文献２の「管路補修方法」の説明図である。
【図７】特許文献３の「管のライニング方法」の説明図である。
【符号の説明】
【００３７】
１，２  コンクリートスラブ
１ａ，２ａ  スラブ床面
２ｂ  スラブ天井面
１０  排水立て管
１１，１２  スラブ貫通部
１３ａ  直管部分
１３ｂ  新規直管
１５  枝管
１５ａ  接続口
１６ａ，１６ｂ  分流ガイド
１７  エポキシ樹脂皮膜
【図１】
0004786310.tif 000002
【図２】
0004786310.tif 000003
【図３】
0004786310.tif 000004
【図４】
0004786310.tif 000005
【図５】
0004786310.tif 000006
【図６】
0004786310.tif 000007
【図７】
0004786310.tif 000008